(57)【要約】【課題】記録媒体の形態に関わらず印字後の仕上がりを予測しやすくする。【解決手段】記録媒体を撮影する撮影手段と、撮影手段により撮影された記録媒体の撮影画像に基づいて該記録媒体のサイズを算出するサイズ算出手段と、サイズ算出手段により算出された記録媒体のサイズに合わせて、取得した原稿画像の画像サイズを変更して撮影手段により撮影された記録媒体の撮影画像と合成したプレビュー画像を生成するプレビュー画像生成手段と、プレビュー画像生成手段により生成されたプレビュー画像を表示する表示手段と、を備える。【選択図】図３
2016225871.tif 000002
【特許請求の範囲】
【請求項１】
記録媒体を撮影する撮影手段と、
前記撮影手段により撮影された前記記録媒体の撮影画像に基づいて該記録媒体のサイズを算出するサイズ算出手段と、
前記サイズ算出手段により算出された前記記録媒体のサイズに合わせ、取得した原稿画像の画像サイズを変更して前記撮影手段により撮影された前記記録媒体の撮影画像と合成したプレビュー画像を生成するプレビュー画像生成手段と、
前記プレビュー画像生成手段により生成されたプレビュー画像を表示する表示手段と、
を備えることを特徴とするプレビュー画像表示装置。
【請求項２】
前記撮影手段により撮影された前記記録媒体の撮影画像に歪みがある場合、該歪みを補正する歪み補正手段を備えることを特徴とする請求項１記載のプレビュー画像表示装置。
【請求項３】
前記表示手段は、ユーザの操作を受け付ける操作受付機能を有し、
前記表示手段に表示されたプレビュー画像に対するユーザの所定操作に応じて該プレビュー画像を調整するプレビュー画像調整手段を備えることを特徴とする請求項１から３の何れか１項に記載のプレビュー画像表示装置。
【請求項４】
前記プレビュー画像調整手段は、前記プレビュー画像に含まれる原稿画像の画像サイズを変更することを特徴とする請求項３記載のプレビュー画像表示装置。
【請求項５】
前記表示手段は、前記プレビュー画像調整手段による前記画像サイズの変更に伴う変更量を示す数値を表示することを特徴とする請求項４記載のプレビュー画像表示装置。
【請求項６】
請求項１から５の何れか１項に記載のプレビュー画像表示装置を備えた画像処理装置。
【請求項７】
前記プレビュー画像表示装置が前記画像処理装置から着脱可能に構成されており、
前記プレビュー画像表示装置と前記記録媒体が載置される前記画像処理装置上の載置面との位置関係を検知するための検知マーカーを前記載置面に有し、
前記サイズ算出手段は、前記撮影手段により撮影された前記記録媒体の撮影画像から読み取られる前記記録媒体のエッジ情報と、前記撮影手段により撮影された前記検知マーカーから読み取られる検知情報とに基づいて前記記録媒体のサイズを算出することを特徴とする請求項６記載の画像処理装置。
【請求項８】
前記撮影手段により前記検知マーカーの撮像を取得したとき、前記撮影手段による前記記録媒体の撮影処理、前記サイズ算出手段による前記記録媒体のサイズ算出処理、前記プレビュー画像生成手段によるプレビュー画像生成処理、前記表示手段によるプレビュー画像の表示処理を順次実行することを特徴とする請求項７記載の画像処理装置。
【請求項９】
前記プレビュー画像表示装置は前記画像処理装置とネットワークを介して通信する通信手段を備えることを特徴とする請求項６から８の何れか１項に記載の画像処理装置。
【発明の詳細な説明】
【技術分野】
【０００１】
本発明は、プレビュー画像表示装置、及びプレビュー画像表示装置を備えた画像処理装置に関する。
【背景技術】
【０００２】
近年、例えば画像形成装置等において、操作を容易に行えるようにタッチパネル機能を持たせた液晶ディスプレイを搭載した機種が知られている。この種の液晶ディスプレイを備えた機種の中には、例えば印字後のイメージをプレビュー表示する機能や、プレビュー画面を見ながら印字位置あるいは印字範囲を指定する機能や、印字画像を拡大したり縮小したりする機能を備える機種があることが、既に知られている。
【０００３】
上記に関し、例えば特許文献１には、表示パネルに画像が表示された状態で、画像に対応する２点がタッチされたことを検出した場合、画像が記録紙上に形成されたと仮定した場合の、タッチされた２点に対応する、記録紙上に形成される画像の２点間の距離を算出して表示パネルに表示する操作指示装置が開示されている。
【発明の概要】
【発明が解決しようとする課題】
【０００４】
例えば特許文献１のような技術によれば、画像の拡大縮小を容易に指示することができ、表示されている画像がどの程度の大きさの出力画像に対応するかを確認することができる。しかし、特許文献１のような技術においては、不定形サイズの印字媒体に印刷する場合や、枠線を持った印字媒体へ印字する場合に、印字後の仕上がりを予測しにくいという問題がある。
【０００５】
本発明は、このような実情に鑑みてなされたものであって、記録媒体の形態に関わらず印字後の仕上がりを予測しやすくすることを目的とする。
【課題を解決するための手段】
【０００６】
上述した目的を達成するため、本発明におけるプレビュー画像表示装置は、記録媒体を撮影する撮影手段と、撮影手段により撮影された記録媒体の撮影画像に基づいて該記録媒体のサイズを算出するサイズ算出手段と、サイズ算出手段により算出された記録媒体のサイズに合わせ、取得した原稿画像の画像サイズを変更して撮影手段により撮影された記録媒体の撮影画像と合成したプレビュー画像を生成するプレビュー画像生成手段と、プレビュー画像生成手段により生成されたプレビュー画像を表示する表示手段と、を備えることを特徴とする。
【発明の効果】
【０００７】
本発明によれば、記録媒体の形態に関わらず印字後の仕上がりを予測しやすくすることが可能となる。
【図面の簡単な説明】
【０００８】
【図１】本発明の実施形態におけるプレビュー画像表示装置を備える画像処理装置の全体概略図である。
【図２】本発明の実施形態におけるプレビュー画像表示装置を説明するための概略図である。
【図３】本発明の実施形態におけるプレビュー画像表示装置の機能ブロック図である。
【図４】本発明の実施形態における歪み補正処理について説明するための模式図である。
【図５】本発明の実施形態におけるプレビュー画像の表示例を示す模式図である。
【図６】本発明の実施形態におけるプレビュー画像に対する操作について説明するための模式図である。
【図７】本発明の実施形態における処理手順を示すフローチャートである。
【発明を実施するための形態】
【０００９】
本発明の実施形態のプレビュー画像表示装置及びこれを備えた画像処理装置に関し以下図面を用いて説明するが、本発明の趣旨を越えない限り、何ら本実施形態に限定されるものではない。なお、各図中、同一又は相当する部分には同一の符号を付しており、その重複説明は適宜に簡略化乃至省略する。また、以下に記載する実施形態は本発明の最良の形態であって、本発明に係る特許請求の範囲を限定するものではない。
【００１０】
本発明の実施形態における画像処理装置１００について図１を参照して説明する。以下に説明する本実施形態における画像処理装置１００として、スキャナ機能、印刷機能、ファックス機能等を備えた複合機を例として説明する。ただし、本発明における画像処理装置１００は複合機等の画像形成装置に限定されない。例えばパーソナルコンピュータ等の情報処理装置や、ホワイトボードのような情報表示装置や、プロジェクターのような投影装置等の情報処理機能や通信機能を備えたものであればよい。
【００１１】
本実施形態における画像処理装置１００は、プレビュー画像表示装置１０と、画像読取部２０と、給紙トレイ３０と、手差しトレイ４０と、排紙部５０を備えている。なお、画像処理装置１００の内部には印刷機能を実現するＣＰＵ等の回路や画像形成手段としての印刷エンジンや用紙搬送機構等が備わっていることは言うまでもなく、本実施形態においては説明を省略する。
【００１２】
プレビュー画像表示装置１０は、原稿等から取り込んだ画像をプレビュー表示する表示画面１０ａと操作キーを備えている。操作キーは、例えば電源や表示画面１０ａに表示されたカーソルを操作したりアイコンを選択したりする等の操作に使用する物理キーである。また、プレビュー画像表示装置１０には、表示画面１０ａに重畳するようにユーザによるタッチ操作を受け付けるタッチパネルが備わっている。なお、後述するが、プレビュー画像表示装置１０は画像処理装置１００から着脱可能に構成されている。
【００１３】
画像読取部２０は、記録媒体である印字用紙のコピーやスキャンを行う。なお、画像読取部２０が原稿に形成された画像を読み取ることができることは言うまでもない。
【００１４】
また、画像読取部２０の上方は記録媒体を載置する載置面２１となっており、載置面２１には３つの検知マーカー２２が形成されている。検知マーカー２２は、カメラ等の撮影手段で本体上部を撮影した際に、プレビュー画像表示装置１０又はカメラと画像処理装置１００との位置関係として、例えば距離、高さ、及び傾き等を検知するために使用する。
【００１５】
なお、図１に示す検知マーカー２２の数は一例であって２つ以下であっても、４つ以上であってもよい。また、検知マーカー２２は載置面２１に限定されず、画像処理装置１００の上方外装の平らな場所に形成されていればよい。検知マーカー２２の詳細については後述する。
【００１６】
給紙トレイ３０は印字のための記録用紙を供給するためのトレイであり、内部に複数枚の記録用紙を保持することができる。印字の際はこれらの記録用紙を１枚ずつ本体内部に送り出し、印刷を行う。
【００１７】
また、手差しトレイ４０は開閉式の給紙部であり、開いた状態では手差し台として使用可能である。また、例えば１枚だけ給紙したり、又は比較的少ない枚数の記録用紙を給紙したりする場合に使用する。
【００１８】
排紙部５０は印字後の記録用紙を保持するためのスペースであり、複数枚の記録用紙を保持することができる。
【００１９】
次に、本実施形態におけるプレビュー画像表示装置１０の概略構成について図２を参照して説明する。本実施形態におけるプレビュー画像表示装置１０は画像処理装置１００本体から着脱可能な構成になっており、前面に上述した表示画面１０ａや操作キーを備え、背面に撮影手段１１を備えている。
【００２０】
また、プレビュー画像表示装置１０はその内部にバッテリーを内蔵しており、画像処理装置１００から取り外した状態でも一定時間は単独で駆動する。そのため、プレビュー画像表示装置１０は画像処理装置１００から取り外した状態でも、例えば、表示画面１０ａへの画面表示、操作キーへのキー操作、カメラ駆動、本体との通信等を行うことができる。
【００２１】
さらに、プレビュー画像表示装置１０は、取り外した状態での画像処理装置１００との情報をやり取りするため、例えば無線ＬＡＮ等の無線通信手段を備える。プレビュー画像表示装置１０は、例えば背面等にバッテリー給電用のコネクタを備えている。プレビュー画像表示装置１０が画像処理装置１００にセットされたとき、そのコネクタを介して内蔵するバッテリーへの給電が行われる。
【００２２】
ユーザは、プレビュー画像表示装置１０のタッチパネルを備えた表示画面１０ａに対して指やペン等で触れることで、各種操作を行う。タッチパネルは指又はペン等の入力手段で操作ができれば特に方式を限定するものではなく、静電容量方式、抵抗膜方式、又は表面弾性波方式等いずれの方式でもよい。
【００２３】
撮影手段１１は、記録媒体としての印字用紙Ｐや記録媒体の載置面２１を撮影するものであり、詳細については後述する。
【００２４】
なお、本実施形態においては、プレビュー画像表示装置１０は、画像処理装置１００から着脱可能な、あたかも画像処理装置１００の操作部のような、画像処理装置１００の一部として構成されている。他方、プレビュー画像表示装置１０が画像処理装置１００と別体として構成されていてもよい。また、撮影手段１１としてのカメラが画像処理装置１００から着脱可能に構成されていても、カメラが画像処理装置１００と別体として構成されていてもよい。
【００２５】
さらに、プレビュー画像表示装置１０が画像処理装置１００と別体として構成される場合、プレビュー画像表示装置１０は、例えばスマートフォン、タブレットＰＣ、携帯電話等の携帯情報端末で代用されてもよい。この場合、携帯情報端末がプレビュー画像表示装置１０の機能を備えたものであっても、プレビュー画像表示装置１０による各種処理を規定したプログラムを携帯情報端末が実行することで、各種機能を実現するものであってもよい。
【００２６】
次に、本実施形態におけるプレビュー画像表示装置１０の機能ブロックについて図３を参照して説明する。プレビュー画像表示装置１０は、機能ブロックとして、撮影手段１１と、画像取得手段１２と、サイズ算出手段１３と、プレビュー画像生成手段１４と、表示手段１５を備える。
【００２７】
撮影手段１１は、図２を用いて説明したように、印字用紙Ｐや記録媒体の載置面２１を撮影する、例えばＣＣＤやＣＭＯＳ等の撮像素子を用いたカメラである。なお、撮影手段１１は、カメラに限定されず、図１に示した画像読取部２０が有する画像読取手段で代用されるものであってもよい。
【００２８】
画像取得手段１２は、例えば画像読取部２０により読み取られた原稿画像や外部から取得した画像等を取り込む。なお、プレビュー画像表示装置１０が画像処理装置１００から取り外されている場合は、例えば画像読取部２０により読み取られた画像等を画像処理装置１００から通信手段を介して取得して取り込んでもよい。
【００２９】
サイズ算出手段１３は、撮影手段１１により撮影された印字用紙Ｐの撮影画像に基づいて印字用紙Ｐのサイズを算出する。印字用紙Ｐのサイズ算出処理についての詳細は後述する。
【００３０】
プレビュー画像生成手段１４は、サイズ算出手段１３により算出された印字用紙Ｐのサイズに合わせて画像取得手段１２により取得した原稿画像の画像サイズを変更して撮影手段１１により撮影された印字用紙Ｐの撮影画像と合成したプレビュー画像を生成する。
【００３１】
表示手段１５は、プレビュー画像生成手段１４により生成されたプレビュー画像を表示画面１０ａに表示する。また、プレビュー画像表示装置１０は、ユーザの操作を受け付ける操作受付機能を有し、この機能は上述したタッチパネルや操作キーによって実現される。
【００３２】
さらに、プレビュー画像表示装置１０は、撮影手段１１により撮影された印字用紙Ｐの撮影画像に歪みがある場合、その歪みを補正する歪み補正手段を備えることが好ましい。歪み補正手段による印字用紙Ｐの歪み補正処理についての詳細は後述する。
【００３３】
また、プレビュー画像表示装置１０は、表示手段１５により表示画面１０ａに表示されたプレビュー画像に対するユーザの所定操作に応じて該プレビュー画像を調整するプレビュー画像調整手段を備えることが好ましい。プレビュー画像調整手段は、画像調整機能として、例えばプレビュー画像に含まれる画像取得手段１２により取得した原稿画像の画像サイズを変更する機能等を備える。
【００３４】
なお、この場合、表示手段１５はプレビュー画像調整手段による画像サイズの変更に伴う変更量を示す数値を表示してもよい。変更量を示す数値とは、例えば画像サイズを拡大したり縮小したりする場合における倍率等をいう。変更量を示す数値を表示することにより、標準状態からの画像サイズの変更量が一目で分かるようになる。
【００３５】
また、画像処理装置１００は、プレビュー画像表示装置１０又は撮影手段１１と印字用紙Ｐが載置される画像処理装置１００上の載置面との位置関係を検知するための検知マーカーを載置面に有していてもよい。この場合、サイズ算出手段１３は、撮影手段１１により撮影された印字用紙Ｐの撮影画像から読み取られる印字用紙Ｐのエッジ情報と、撮影手段１１により撮影された検知マーカーから読み取られる検知情報とに基づいて印字用紙Ｐのサイズを算出する。検知マーカーの検知情報に基づいた印字用紙Ｐのサイズ算出の詳細については後述する。
【００３６】
さらに、撮影手段１１により検知マーカーと印字用紙Ｐの撮像を取得したとき、サイズ算出手段１３による印字用紙Ｐのサイズ算出処理、プレビュー画像生成手段１４によるプレビュー画像生成処理、表示手段１５によるプレビュー画像の表示処理を自動的に順次実行することとしてもよい。これにより、例えば撮影手段１１により印字用紙Ｐを撮影するための撮影ボタンを押圧する等の無駄な操作が不要となる。プレビュー画像の調整処理や表示処理の詳細については後述する。
【００３７】
次に、本実施形態における印字用紙Ｐのサイズ算出処理、及び印字用紙Ｐの撮影画像の歪みを補正する歪み補正処理について図４を参照して説明する。図４は、図１に示した載置面２１に印字用紙Ｐが斜めに載置された状態を示す概略斜視図である。
【００３８】
以下に説明する便宜上、図の右側上下に配置された円形状の２つのマークをマーカー２２ａ、マーカー２２ｂとする。マーカー２２ａ及びマーカー２２ｂは上述した検知マーカー２２である。また、マーカー２２ａとマーカー２２ｂとの間の距離を距離Ａとする。そして、印字用紙Ｐの四隅に破線で示した小円で囲まれるエッジ情報を左上から時計回りにＰ１、Ｐ２、Ｐ３、Ｐ４とする。
【００３９】
プレビュー画像表示装置１０は、撮影手段１１による撮影画像から、印字用紙Ｐと載置面２１との明度差により印字用紙ＰのエッジＰ１、Ｐ２、Ｐ３、Ｐ４を読み取る。なお、エッジＰ１、Ｐ２、Ｐ３、Ｐ４を読み取り易くするため、載置面２１は黒色かそれに近い色であることが好ましい。
【００４０】
エッジＰ１、Ｐ２、Ｐ３、Ｐ４の４点は、通常、長方形状や正方形状である印字用紙Ｐの角４点である。他方、本図のように印字用紙Ｐが載置面２１に対して斜めに載置されて、撮影時の撮影手段１１と撮影対象である印字用紙Ｐが正対していない場合は、エッジＰ１、Ｐ２、Ｐ３、Ｐ４は歪んだ形で検知される。プレビュー画像を生成する場合、この歪みを補正し、長方形又は正方形の形に補正して表示することが好ましい。
【００４１】
プレビュー画像表示装置１０は、撮影手段１１による撮影画像から検出した４箇所のエッジＰ１、Ｐ２、Ｐ３、Ｐ４からサイズ算出手段１３により印字用紙Ｐの縦横比を算出する。そして、サイズ算出手段１３により算出された印字用紙Ｐの縦横比から想定される印字用紙Ｐのエッジ４点からのそれぞれのズレを算出し、歪み補正手段によりこのズレを補正する。これにより歪みのない長方形、又は正方形の画像を得ることができる。
【００４２】
さらに、サイズ算出手段１３は、印字用紙Ｐと同時に撮影した検知マーカー２２から、印字用紙Ｐの大きさを算出することができ、ここではマーカー２２ａとマーカー２２ｂとの間の距離Ａを検出することで用紙の大きさを算出している。
【００４３】
なお、本例では、載置面２１の端に複数の検知マーカー２２を備えているが、撮影時のプレビュー画像表示装置１０又は撮影手段１１と画像処理装置１００本体との位置関係として、距離、高さ、傾き等を検出できればよい。また、これらの位置関係を把握できる形状の検知マーカーであれば、１箇所のみに備える構成としてもよい。また、印字用紙Ｐのサイズをより正確に読み取るために、検知マーカー２２を４つ以上形成してもよい。
【００４４】
また、検知マーカー２２に限らず、例えば載置面２１に明度差を付けた枠模様を形成することにより、撮影手段１１で撮影した画像からプレビュー画像表示装置１０又は撮影手段１１の位置、姿勢を検知することとしてもよい。なお、印字用紙Ｐを、撮影手段１１としての上述した画像読取部２０が有する画像読取手段で読み取る場合、上記の検知マーカー２２は不要である。
【００４５】
以上の処理により、印字用紙Ｐの歪みの無い画像を得ることができ、この画像の縮尺に合わせてサイズ変更した印字データを合成することで印字プレビュー画面を表示することができる。
【００４６】
次に、本実施形態における表示画面１０ａに表示するプレビュー画像の表示例について図５を参照して説明する。
【００４７】
表示画面１０ａの右側には用紙サイズを表示・設定するためのサイズ設定ボタン３１０と、印字データの縮尺を表示・設定するための縮尺設定ボタン３２０と、印字位置を表示・補正するための位置補正ボタン３３０と、印刷ボタン３４０が表示されている。ユーザは、タッチパネル機能を介してこれらのボタンにタッチ又はタップ等の操作を行うことで、各種設定や印刷開始をプレビュー画像表示装置１０に指示することができる。
【００４８】
また、表示画面１０ａの左側には印字プレビュー画像３００が表示されている。印字プレビュー画像３００は、印字用紙Ｐの用紙撮影画像３５０と印字データ３６０とが合成されたものであり、印刷後の仕上がりが表示されたものである。印字プレビュー画像３００は、これを生成する前にカメラから取得した原稿の画像データに、印字データを合成して生成される。プレビュー画像生成手段１４は、合成前に取得した用紙撮影画像３５０の大きさから印字データ３６０のサイズが印字用紙Ｐ内に収まるように拡大又は縮小の処理を行う。
【００４９】
次に、表示画面１０ａに表示された印字プレビュー画像３００に対する操作例と、各操作例に応じた画像調整処理例について図６を参照して説明する。ユーザは、表示された印字プレビュー画像３００が所望の画像でなかった場合等に、タッチパネル機能を介して印字プレビュー画像３００の出力範囲を拡大または縮小したり、出力位置を変更したりすることができる。
【００５０】
例えば図６（ａ）に示すように、用紙撮影画像３５０に対して印字データ３６０の印字範囲が小さい場合、図の指１、指２で示したポイントを２本の指で触れたまま矢印方向へ動かすピンチアウト・ピンチオープン操作により印字範囲を拡大することができる。
【００５１】
また、印字データ３６０を移動させたい場合、図６（ｂ）に示すように、指１のポイントを１本の指で触れたまま、任意の方向に動かすことで印字データ３６０を移動することができる。なお、印字データ３６０の細かい位置合わせを行いたい場合には、別途設けた物理キーである方向ボタン４０２を用いることで微調整することができるが、微調整そのものをタッチ操作で行うこととしてもよい。なお、方向ボタン４０２の上部に電源ボタン４０１が配置されているが、これらの配置が一例であることは言うまでもない。
【００５２】
本実施形態では、指によるタッチ操作と物理キーによる操作を合わせた操作例を示しているが、印字範囲を調整する機能であれば、タッチ操作のみ、キー操作のみでもよいし、その他の操作方法でもよい。また、印字範囲の調整方法に関し、ここで示した以外にも、印字範囲の縮小や回転、反転など様々な調整を行うことが可能である。
【００５３】
本実施形態によれば、印字プレビュー画像３００の背景はカメラから取り込んだ用紙撮影画像３５０であり、さらに用紙撮影画像３５０に合わせて印字データ３６０を拡大・縮小しているため、印字データ３６０の印字仕上がりのイメージがし易く、印字範囲の調整が容易である。
【００５４】
例えば、印字用紙Ｐに枠線や罫線が入っていて、その枠内に印字データ３６０を印字したい場合、何度か試し印刷を行い、その印刷後の仕上がりを見て印刷画像を編集するような操作が必要になる場合がある。具体的には、例えば郵便はがきの郵便番号欄に印刷をしたい場合等である。このような場合でも、本実施形態における上記機能を用いた直観的な操作により、ユーザは印字前に印字後のイメージを見ながら印刷範囲の調節が可能である。そのため、試し印刷等の無駄な印刷やそれに伴う印字データの調整が不要になり利便性が向上する。
【００５５】
次に、本実施形態における処理手順について図７を参照して説明する。まず、印字データ３６０の取込モードにおいて、画像取得手段１２により原稿等から印字データ３６０を取得する（ステップＳ１）。印字データ３６０の取込に失敗した場合、本処理は終了する。なお、取込モードや後述する撮影モードなる用語は説明の便宜上使用しているに過ぎず、本発明を限定する意図で規定したものではない。
【００５６】
その後、取込モードから撮影モードに移行後（ステップＳ２）、撮影手段１１により載置面２１に載置した印字用紙Ｐ及び検知マーカー２２を撮影する（ステップＳ３）。印字用紙Ｐ又は検知マーカー２２が撮影されるまでは、次の処理へ移行しない。
【００５７】
印字用紙Ｐ及び検知マーカー２２の撮影完了後、撮影された検知マーカー２２の検知情報を介してプレビュー画像表示装置１０又は撮影手段１１と画像処理装置１００に対する位置が認識されると（ステップＳ４、ＹＥＳ）、次処理へ移行する。他方、プレビュー画像表示装置１０又は撮影手段１１の位置が認識されない場合（ステップＳ４、ＮＯ）、再度、撮影手段１１による印字用紙Ｐ等の撮影を行う（ステップＳ３）。
【００５８】
プレビュー画像表示装置１０又は撮影手段１１の位置認識後（ステップＳ４、ＹＥＳ）、サイズ算出手段１３により印字用紙Ｐの大きさである印字面の算出（ステップＳ５）と印字面倍率の算出（ステップＳ６）の各処理がなされる。
【００５９】
その後、歪み補正手段が、用紙撮影画像３５０の歪みを補正する歪み補正処理を実行する（ステップＳ７）。
【００６０】
そして、歪み補正手段により用紙撮影画像３５０の歪み補正後、プレビュー画像生成手段１４により用紙撮影画像３５０と印字データ３６０プレビュー画像が合成され、印字プレビュー画像３００が生成される（ステップＳ８）。
【００６１】
その後、表示手段１５により、生成された印字プレビュー画像３００が表示画面１０ａに表示される（ステップＳ９）。
【００６２】
なお、上述する各実施の形態は、本発明の好適な実施の形態であり、本発明の要旨を逸脱しない範囲内において種々変更実施が可能である。例えば、上述した本実施形態のプレビュー画像表示装置及びこれを備えた画像処理装置における各処理を、ハードウェア、又は、ソフトウェア、あるいは、両者の複合構成を用いて実行することも可能である。
【００６３】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【符号の説明】
【００６４】
１０    プレビュー画像表示装置
１１    撮影手段
１２    画像取得手段
１３    サイズ算出手段
１４    プレビュー画像生成手段
１５    表示手段
２０    画像読取部
２１    載置面
２２    検知マーカー
３０    給紙トレイ
４０    手差しトレイ
５０    排紙部
１００    画像処理装置
【先行技術文献】
【特許文献】
【００６５】
【特許文献１】特許第５３７３８３６号公報
【図３】
2016225871.tif 000003
【図４】
2016225871.tif 000004
【図５】
2016225871.tif 000005
【図６】
2016225871.tif 000006
【図７】
2016225871.tif 000007
【図１】
2016225871.tif 000008
【図２】
2016225871.tif 000009